(57)【要約】【課題】照明装置に関し、光源の発生した熱を保持部材及びリフレクタを介して効率的に放熱することができるようにすることを目的とする。【解決手段】照明装置は、少なくとも１つの光源２８と、少なくとも１つの光源を部分的に囲むリフレクタ３０と、少なくとも１つの光源をリフレクタに保持させる保持部材３２と、リフレクタを支持する金属フレーム部材とを備え、保持部材３２がリフレクタ３０及び金属フレーム部材にともに接触する構成とする。【選択図】　　　図６
2004071298.tif 000002
【特許請求の範囲】
【請求項１】
少なくとも１つの光源と、該少なくとも１つの光源を部分的に囲むリフレクタと、該少なくとも１つの光源を該リフレクタに保持させる保持部材と、該リフレクタを支持する金属フレーム部材とを備え、該保持部材が該リフレクタ及び該金属フレーム部材にともに接触していることを特徴とする照明装置。
【請求項２】
少なくとも１つの光源と、該少なくとも１つの光源を部分的に囲むリフレクタと、該少なくとも１つの光源を該リフレクタに保持させる保持部材と、該リフレクタを支持する金属フレーム部材と、該リフレクタ及び該金属フレーム部材を覆うカバーとを備え、該カバーは該リフレクタを該金属フレーム部材に向かって押圧することのできる弾性的な押圧手段を備えることを特徴とする照明装置。
【請求項３】
少なくとも１つの光源と、該少なくとも１つの光源を部分的に囲むリフレクタと、該少なくとも１つの光源を該リフレクタに保持させる保持部材と、該リフレクタを支持する金属フレーム部材とを備え、該リフレクタが該金属フレーム部材に対して摺動可能に配置され且つ該リフレクタの表面に該リフレクタよりも摩擦係数の小さい層を形成したことを特徴とする照明装置。
【発明の詳細な説明】
【０００１】
【発明の属する技術分野】
本発明は例えば液晶表示装置等の表示装置で使用されるのに適した照明装置に関する。
【０００２】
【従来の技術】
明るい表示を得るために、照明装置が液晶表示装置で使用されている。そのような照明装置の一例はエッジライト型バックライト装置と呼ばれるものである。エッジライト型バックライト装置は、光源部と、光源部から光を受ける導光板と、導光板の液晶パネル側に配置される拡散板と、導光板の液晶パネルとは反対側に配置された反射板とを含む。光源部は、１つ又は複数の光源（放電管）と、光源を部分的に囲むリフレクタとを含み、光源は保持部材によってリフレクタに保持される。光源部及び導光板は金属フレーム部材で支持され、さらに、プラスチックのカバーがリフレクタ及び金属フレーム部材を覆っている。
【０００３】
このようなバックライト装置では、光源は発熱により発光する。光源の発光量は光源の温度が所定温度範囲に維持されたときに最大になる。光源をリフレクタに保持させる保持部材は熱伝導性の優れた材料で作られ、光源の発生した熱を保持部材を介してリフレクタへ逃がすことにより、光源の温度を所定温度範囲に維持するようになっている。
【０００４】
【発明が解決しようとする課題】
しかし、リフレクタが金属フレーム部材及びカバーにより囲まれているため、光源が発生した熱をリフレクタへ十分に放熱できないことがある。このような場合には、光源の温度が高くなり、輝度が最大になる所定温度範囲を上回ってしまい、結果として輝度低下を招く可能性がある。特に、高輝度化を実現するために光源として複数の放電管を用いた場合、光源の発熱がさらに大きくなり、温度が必要以上に上昇してしまうことになる。このような場合には、光源が発生した熱を単に保持部材からリフレクタへ放熱する対策では不十分であり、輝度低下を招く可能性がある。
【０００５】
さらに、光源が消耗した場合に、光源とリフレクタとからなる光源部を取り外して、光源を交換する必要がある。このような場合、光源部を容易に取り外すことができることが望まれる。
【０００６】
本発明の目的は光源の発生した熱を保持部材及びリフレクタを介して効率的に放熱することができるようにした照明装置を提供することである。
【０００７】
本発明の他の目的は光源及びリフレクタを容易に取り外すことができる照明装置を提供することである。
【０００８】
【課題を解決するための手段】
本発明による照明装置は、少なくとも１つの光源と、該少なくとも１つの光源を部分的に囲むリフレクタと、該少なくとも１つの光源を該リフレクタに保持させる保持部材と、該リフレクタを支持する金属フレーム部材とを備え、該保持部材が該リフレクタ及び該金属フレーム部材にともに接触していることを特徴とするものである。
【０００９】
この構成によれば、光源の発生した熱を保持部材を介してリフレクタ及び金属フレーム部材に放熱することができ、光源の温度を所定温度範囲に維持することができて、光源の発光量を改善することができる。
【００１０】
また、本発明による照明装置は、少なくとも１つの光源と、該少なくとも１つの光源を部分的に囲むリフレクタと、該少なくとも１つの光源を該リフレクタに保持させる保持部材と、該リフレクタを支持する金属フレーム部材と、該リフレクタ及び該金属フレーム部材を覆うカバーとを備え、該カバーは該リフレクタを該金属フレーム部材に向かって押圧することのできる弾性的な押圧手段を備えることを特徴とするものである。
【００１１】
この構成によれば、リフレクタは弾性的な押圧手段（例えば、バネ性舌片）によって金属フレーム部材に向かって押圧され、金属フレーム部材に確実に接触さしめられる。従って、光源の発生した熱を保持部材及びリフレクタを介して金属フレーム部材に放熱することができ、光源の温度を所定温度範囲に維持することができて、光源の発光量を改善することができる。
【００１２】
また、本発明による照明装置は、少なくとも１つの光源と、該少なくとも１つの光源を部分的に囲むリフレクタと、該少なくとも１つの光源を該リフレクタに保持させる保持部材と、該リフレクタを支持する金属フレーム部材とを備え、該リフレクタが該金属フレーム部材に対して摺動可能に配置され且つ該リフレクタの表面に該リフレクタよりも摩擦係数の小さい層を形成したことを特徴とするものである。
【００１３】
この構成によれば、リフレクタが金属フレーム部材に対して摺動可能に配置されているので、光源及びリフレクタを金属フレーム部材に対して容易に取り外すことができる。
【００１４】
【発明の実施の形態】
以下本発明の実施例について図面を参照して説明する。
【００１５】
図１は本発明を適用した液晶表示装置の例を示す斜視図である。液晶表示装置１０は、筐体１２と、表示部１４とを有する。照明装置の光源部１６が筐体１２の側部に配置されている。
【００１６】
図２は図１の液晶表示装置の一部を示す断面図、図３は図１の液晶表示装置の主な構成部材を示す分解斜視図である。液晶表示装置１０は、液晶パネル１８と、エッジライト型バックライト装置（照明装置）２０とを含む。バックライト装置２０は、透明板からなる導光板２２と、導光板２２の両側に配置された光源部１６と、導光板２２の発光面側（液晶パネル側）に配置された拡散層２４と、導光板２２の拡散層２４とは反対側に配置された反射層２６とからなる。
【００１７】
光源部１６は、３本の放電管からなる３本の光源２８と、３本の全ての光源２８を一括して部分的に囲むリフレクタ３０と、３本の光源２８を一括してリフレクタ３０に保持させる保持部材３２とを含む。リフレクタ３０はＵ字状の断面を有し、３側部が閉鎖され、導光板２２に向いた１側部が開放されている。光源部１６で発生した光は導光板２２に入り、反射層２６で反射し、拡散層２４で拡散されて液晶パネル１８に向かって進む。このようにして、バックライト装置２０は液晶パネル１８を照明することができる。
【００１８】
さらに、液晶表示装置１０は、導光板２２及びリフレクタ３０を含むバックライト装置２０を支持する金属フレーム部材３４と、リフレクタ３０及び金属フレーム部材３４を覆うプラスチックのカバー３６とを備えている。金属フレーム部材３４は、平板の両側部を折り曲げた板金部材であり、バックライト装置２０は底壁部分及び側壁部分で形成される空間に収容されている。カバー３６は、矩形状の枠部材であり、平坦な上壁部分と、この平坦な上壁部分から下方に延びるスカート部分を有する。上壁部分は中央開口部を有し、中央開口部の内周壁が液晶パネル１８を支持する支持座となっている。上壁部分はリフレクタ３０及び金属フレーム部材３４を上から覆う。スカート部分は金属フレーム部材３４の側部を横方向外側から覆っている。さらに、図３には、筐体１２の上部部分１２Ａが示されている。
【００１９】
図４から図７は図１から図３のバックライト装置２０の光源部１６を示す図である。図４は光源部１６を示す斜視図である。図５は図４の線Ｖ−Ｖに沿った光源部１６の断面図である。図６は図４の線ＶＩ−ＶＩに沿った光源部１６の断面図である。図７は図４の矢印ＶＩＩ　から見た光源部１６の部分側面図である。
【００２０】
図４においては、３本の光源（放電管）２８と、保持部材３２と、電極部３８，４０とが示されている。電極部３８，４０は光源２８の両端部にあり、保持部材３２は光源２８の中間部にある。３本の光源（放電管）２８は保持部材３２に設けた穴に嵌合され、保持部材３２に密に接触している。
【００２１】
図５においては、リフレクタ３０はＵ字状の断面形状をしている。すなわち、リフレクタ３０は、Ｕ字の底辺部３０Ａと、底辺部から延びる２つの垂直辺部３０Ｂ，３０Ｃとを有し、一方の垂直辺部３０Ｂが他方の垂直辺部３０Ｃよりも長い。
【００２２】
図６においては、リフレクタ３０の長い方の垂直辺部３０Ｂは切り欠き部３０Ｄを有し、底辺部３０Ａは切り欠き部３０Ｅを有する。保持部材３２は切り欠き部３０Ｄ，３０Ｅに嵌合される。保持部材３２は、リフレクタ３０の内部空間に相当する部分と、切り欠き部３０Ｄ，３０Ｅに入り込み、垂直辺部３０Ｂ及び底辺部３０Ａの板厚に相当する部分とを一体的に含む構造となっている。
【００２３】
図７においては、保持部材３２が垂直辺部３０Ｂの切り欠き部３０Ｄから露出している。保持部材３２の露出した垂直外面は垂直辺部３０Ｂの外面と同一面上にあり、保持部材３２の露出した水平外面は底辺部３０Ａの外面と同一面上にある。保持部材３２は接着剤によりリフレクタ３０に固定される。保持部材３２は密にリフレクタ３０に接触している。
【００２４】
図２に示されるように、リフレクタ３０は、長い方の垂直辺部３０Ｂ及び底辺部３０Ａが金属フレーム部材３４に接触するように配置される。保持部材３２は直に金属フレーム部材３４に接触する。従って、保持部材３２はリフレクタ３０及び金属フレーム部材３４にともに接触する。
【００２５】
リフレクタ３０は熱伝導率の高い金属、例えば厚さ０．５ｍｍのアルミニウム板で作られる。金属フレーム部材３４は熱伝導率の高い金属、例えば厚さ０．８ｍｍのアルミニウム板で作られる。保持部材３２は熱伝導率の高い樹脂、例えば厚さ２．０ｍｍのシリコンゴムで作られる。光源（放電管）２８の外径は２．６ｍｍ、長さは４３６ｍｍである。
【００２６】
これにより、光源２８で発生した熱が光源２８と接触する熱伝導性の高い保持部材３２を介して、保持部材３２と接触するリフレクタ３０及び金属フレーム部材３４に放熱される。金属フレーム部材３４はリフレクタ３０の外側にあって、リフレクタ３０よりも面積が大きいので、放熱効果は大きい。
【００２７】
図８は図２の液晶表示装置１０の変形例を示す断面図、図９は光源部１６が挿入された図８の液晶表示装置１０を示す断面図である。図８及び図９の液晶表示装置１０はカバー３６を除いて図１から図７を参照して説明した液晶表示装置１０と同様に構成される。
【００２８】
図８及び図９においては、カバー３６はリフレクタ３０を金属フレーム部材３４に向かって押圧することのできる弾性的な押圧手段４２を備える。この押圧手段４２はカバー３６の一部からなる弾性変形可能な舌片３６Ａとして形成される。つまり、舌片３６Ａはその一部分がカバー３６と一体的に連続し、残りの部分がスリットによりカバー３６と分離されている。舌片３６Ａの先端部には舌向きの突起３６Ｂが形成されている。
【００２９】
図８は光源２８とリフレクタ３０を含む光源部１６が液晶表示装置１０から取り外された状態を示し、この場合、舌片３６Ａはカバー３６の平坦な上壁部分と同一面内にある。図９は光源部１６が液晶表示装置１０から挿入された状態を示し、この場合、舌片３６Ａはリフレクタ３０によって押し上げられるように弾性変形する。弾性変形した舌片３６Ａはリフレクタ３０を金属フレーム部材３４に向かって押圧する。従って、リフレクタ３０は金属フレーム部材３４に確実に接触せしめられる。こうして、リフレクタ３０が金属フレーム部材３４に確実に接触するとともに、保持部材３２が金属フレーム部材３４に確実に接触する。従って、光源の発生した熱を保持部材３２及びリフレクタ３０を介して金属フレーム部材３４に放熱することができ、光源の温度を所定温度範囲に維持することができて、光源の発光量を改善することができる。
【００３０】
なお、保持部材３２はリフレクタ３０及び金属フレーム部材３４にともに接触するように構成することができるが、保持部材３２はリフレクタ３０のみに接触するように構成することができる。この場合には、リフレクタ３０は金属フレーム部材３４に押さえつけられ、リフレクタ３０と金属フレーム部材３４との間の密着度が増すので、保持部材３２からリフレクタ３０を介して金属フレーム部材３４への放熱性が向上する。
【００３１】
図１０は光源部１６の変形例を示す断面図であり、（Ａ）は平面図、（Ｂ）は左側面図、（Ｃ）は右側面図である。光源部１６のリフレクタ３０の側面には、リフレクタ３０の摩擦係数よりも小さな摩擦係数をもつ層４４がコーティングされている。層４４は例えばフッ素樹脂や四フッ化エチレンとすることができる。アルミニウムからなるリフレクタ３０の摩擦係数は、μ≒０．３〜０．５である。フッ素樹脂の摩擦係数は、μ≒０．０５であり、テフロン樹脂の摩擦係数は、μ≒０．０４〜０．０５である。このようにして、リフレクタ３０と金属フレーム部材３４との摺動性を向上することができる。この構成はリフレクタ３０と金属フレーム部材３４との間に摺動性を与えたい場合に有効である。例えば、図８及び図９に示されるように、リフレクタ３０が押圧手段４２によって金属フレーム部材３４に押圧されているような場合に有効である。
【００３２】
【発明の効果】
以上説明したように、本発明によれば、光源で発生した熱を熱伝導性の高い保持部材によってリフレクタと金属フレーム部材に放熱することが可能となり、結果として輝度低下を抑えることが可能になる。また、リフレクタと金属フレーム部材との間の摺動性が向上することから、光源部を表示装置からの抜き差しが容易となり、結果として作業性が向上する。
【図面の簡単な説明】
【図１】本発明を適用した液晶表示装置の例を示す斜視図である。
【図２】図１の液晶表示装置の一部を示す断面図である。
【図３】図１の液晶表示装置の主な構成部材を示す分解斜視図である。
【図４】図１から図３のバックライト装置の光源部を示す斜視図である。
【図５】図４の線Ｖ−Ｖに沿った光源部の断面図である。
【図６】図４の線ＶＩ−ＶＩに沿った光源部の断面図である。
【図７】図４の矢印ＶＩＩ　から見た光源部の部分側面図である。
【図８】図２の液晶表示装置の変形例を示す断面図である。
【図９】光源部が挿入された図８の液晶表示装置を示す断面図である。
【図１０】光源部の変形例を示す断面図であり、（Ａ）は平面図、（Ｂ）は左側面図、（Ｃ）は右側面図である。
【符号の説明】
１０…液晶表示装置
１６…光源部
１８…液晶パネル
２０…バックライト装置（照明装置）
２２…導光板
２８…光源
３０…リフレクタ
３２…保持部材
３４…金属フレーム部材
３６…カバー
４２…押圧手段
４４…小さな摩擦係数をもつ層
【図１】
2004071298.tif 000003
【図２】
2004071298.tif 000004
【図３】
2004071298.tif 000005
【図４】
2004071298.tif 000006
【図５】
2004071298.tif 000007
【図６】
2004071298.tif 000008
【図７】
2004071298.tif 000009
【図８】
2004071298.tif 000010
【図９】
2004071298.tif 000011
【図１０】
2004071298.tif 000012